(57)【要約】【課題】キャンペーンの効果が得られ易く、その予算が立て易いとともに、システムの構築・運用に掛かる費用が安価な販売促進システム等を提供する。【解決手段】販売促進システムは、接続可能な携帯電話機１と管理サーバ２とを備えており、両者はインターネット３を介して情報の送受信を行える。Webサイトを構成する管理サーバ２のURLに加えて、くじの当選又ははずれに関する情報を暗号化した暗号化済みくじ情報（シリアルナンバー）をバーコードなどの印刷物に埋め込み、この印刷物を商品に付して販売する。ユーザーが、携帯電話機１で商品に付された印刷物を読取って、管理サーバ２にアクセスしたのち、シリアルナンバーを送信する。管理サーバ２は、受信したシリアルナンバーとその当否情報との照合のみ行い、照合結果により携帯電話機１に送信するWebページの種類を替える。【選択図】図１
2010108059.tif 000002
【特許請求の範囲】
【請求項１】
ネットワークに接続可能な携帯端末と、ネットワークに接続可能な管理サーバとを備えている販売促進システムであって、
携帯端末が、
管理サーバのアドレス情報と暗号化済みくじ情報とが埋め込まれ、かつ商品に付されている印刷物から、アドレス情報と暗号化済みくじ情報を読み取る読取手段と、
読取手段が読み取ったアドレス情報に従って管理サーバに接続し、読取手段が読み取った暗号化済みくじ情報を管理サーバに送信するアクセス手段と、
氏名、住所を含む個人情報の入力を、携帯端末の利用者から受け付ける個人情報入力手段と、
個人情報入力手段が受け付けた個人情報を管理サーバに送信する個人情報送信手段と、
管理サーバが送信したWebページを受信して表示する表示手段と、
を備えており、
管理サーバが、
暗号化済みくじ情報を、くじの当選又ははずれを示す当否属性に対応づけて記憶するくじ情報記憶手段と、
暗号化済みくじ情報を、使用済みか否かを示す使用済属性に対応づけて記憶する使用済情報記憶手段と、
個人情報を記憶する個人情報記憶手段と、
携帯端末から受信した暗号化済みくじ情報を、くじ情報記憶手段が記憶している当否属性と照合する当否属性照合手段と、
携帯端末から受信した暗号化済みくじ情報を、使用済情報記憶手段が記憶している使用済属性と照合するとともに、受信したくじ情報の使用済属性が未使用の場合には、使用済属性を照合したのちにその使用属性を使用済みに変更する使用済属性照合手段と、
携帯端末から受信した個人情報を、個人情報記憶手段に登録する個人情報登録手段と、
受信した暗号化済みくじ情報の当否属性及び使用済属性に応じて、携帯端末に表示するWebページを決定するWeb決定手段と、
Web決定手段によって決定しているWebページを携帯端末に送信するWeb送信手段と、
個人情報記憶手段が記憶している個人情報を、管理サーバの利用者の要求に応じて出力する出力手段と、
を備えている販売促進システム。
【請求項２】
ネットワークに接続可能な携帯端末と、ネットワークに接続可能な管理サーバとを備えている販売促進システムにおける管理サーバであって、
商品に付された印刷物に埋め込まれている暗号化済みくじ情報を、くじの当選又ははずれを示す当否属性に対応づけて記憶するくじ情報記憶手段と、
商品に付された印刷物に埋め込まれている暗号化済みくじ情報を、使用済みか否かを示す使用済属性に対応づけて記憶する使用済情報記憶手段と、
個人情報を記憶する個人情報記憶手段と、
携帯端末から受信した暗号化済みくじ情報を、くじ情報記憶手段が記憶している当否属性と照合する当否属性照合手段と、
携帯端末から受信した暗号化済みくじ情報を、使用済情報記憶手段が記憶している使用済属性と照合するとともに、受信したくじ情報の使用済属性が未使用の場合には、使用済属性を照合したのちにその使用属性を使用済みに変更する使用済属性照合手段と、
携帯端末から受信した個人情報を、個人情報記憶手段に登録する個人情報登録手段と、
受信した暗号化済みくじ情報の当否属性及び使用済属性に応じて、携帯端末に表示するWebページを決定するWeb決定手段と、
Web決定手段によって決定しているWebページを携帯端末に送信するWeb送信手段と、
個人情報記憶手段が記憶している個人情報を、管理サーバの利用者の要求に応じて出力する出力手段と、
を備えている管理サーバ。
【請求項３】
ネットワークを介して携帯端末との情報の送受信を可能にする販売促進プログラムであって、
コンピュータを、
商品に付された印刷物に埋め込まれている暗号化済みくじ情報を、くじの当選又ははずれを示す当否属性に対応づけて記憶するくじ情報記憶手段、
商品に付された印刷物に埋め込まれている暗号化済みくじ情報を、使用済みか否かを示す使用済属性に対応づけて記憶する使用済情報記憶手段、
個人情報を記憶する個人情報記憶手段、
携帯端末から受信した暗号化済みくじ情報を、くじ情報記憶手段が記憶している当否属性と照合する当否属性照合手段、
携帯端末から受信した暗号化済みくじ情報を、使用済情報記憶手段が記憶している使用済属性と照合するとともに、受信したくじ情報の使用済属性が未使用の場合には、使用済属性を照合したのちにその使用属性を使用済みに変更する使用済属性照合手段、
携帯端末から受信した個人情報を、個人情報記憶手段に登録する個人情報登録手段、
受信した暗号化済みくじ情報の当否属性及び使用済属性に応じて、携帯端末に表示するWebページを決定するWeb決定手段、
Web決定手段によって決定しているWebページを携帯端末に送信するWeb送信手段、
個人情報記憶手段が記憶している個人情報を、管理サーバの利用者の要求に応じて出力する出力手段、
を備えた管理サーバ、
として機能させるための販売促進プログラム。
【発明の詳細な説明】
【技術分野】
【０００１】
本発明は、くじを利用した販売促進システム、それに使用する管理サーバ、及びコンピュータを当管理サーバを機能させるための販売促進プログラムに関する。
【背景技術】
【０００２】
従来から、菓子類、飲料水などの各種商品の販売を促進するため、商品に付された印刷物と携帯電話とを利用したくじ引きによる販売促進キャンペーンが行われている。このキャンペーンでは、予め商品のパッケージや缶にインターネット上のWebサイトのURL(Uniform Resource Locater)、各商品ごとに発行されたシリアルナンバーを印刷しておき、ユーザーが携帯電話を利用してWebサイトにアクセスしてシリアルナンバーを入力すると、Webサイトを構成するサーバが乱数を利用してくじ引きを行ったうえ、当選者には景品が発送される。
【０００３】
なお、携帯電話を利用するWebサイトへのアクセス、シリアルナンバーの入力する方法としては、携帯電話のキーを利用して手入力で行う方法（非特許文献１を参照。）が一般的であるが、この方法はユーザーにとって手間が掛かるため、ユーザーのアクセス数が増えず、キャンペーンの効果が得にくかった。
【０００４】
そこで、ユーザーのアクセス数を増やすため、従来からさまざまな方策が検討されている。例えば、商品にWebサイトのURLを埋め込んだバーコートを印刷しておき、これを携帯電話に付属のカメラで読み取り、携帯電話が読み取ったバーコードを解読してWebサイトにアクセスし、返信メールを受け取ってからくじ引きに応募する方法（特許文献１を参照。）が挙げられる。
【特許文献１】特開２００４−２４６８３９号公報
【非特許文献１】http://club.genki.co.jp/enquate/
【発明の開示】
【発明が解決しようとする課題】
【０００５】
このように、従来からある販売促進システムでは、URLの入力についてはある程度ユーザーの手間を省く方法が検討されているものの、シリアルナンバーについては手入力しなければならず、ユーザーにとっては依然として手間が掛かっていた。そのため、アクセス数が増加し難く、キャンペーン効果が得難いとの問題点があった。
【０００６】
また、サーバが乱数を利用してくじ引きを行うため、次に掲げるような問題点があった。すなわち、当選の本数が予測できないため、景品の予算が立て難いとの問題点があった。また、サーバがくじ引きを行うためのプログラムを備えていなければならず、システムが複雑化するとの問題点があった。さらに、サーバがくじ引きするために演算処理が必要であり、システムに負荷が掛かるとの問題点があった。
【課題を解決するための手段】
【０００７】
発明者らは、鋭意検討した結果、Webサイトを構成するサーバのURLに加えて、くじの当選又ははずれに関する情報を暗号化した暗号化済みくじ情報をバーコードなどの印刷物に埋め込んでおき、サーバが乱数を利用するくじ引きを行なうのではなく、サーバが暗号化済みくじ情報の照合だけを行うようにすれば、前記問題点のすべてを解決できると考え、本発明を完成させた。
【０００８】
即ち、請求項１に記載の販売促進システムは、ネットワークに接続可能な携帯端末と、ネットワークに接続可能な管理サーバとを備えている販売促進システムであって、
携帯端末が、
管理サーバのアドレス情報と暗号化済みくじ情報とが埋め込まれ、かつ商品に付されている印刷物から、アドレス情報と暗号化済みくじ情報を読み取る読取手段と、
読取手段が読み取ったアドレス情報に従って管理サーバに接続し、読取手段が読み取った暗号化済みくじ情報を管理サーバに送信するアクセス手段と、
氏名、住所を含む個人情報の入力を、携帯端末の利用者から受け付ける個人情報入力手段と、
個人情報入力手段が受け付けた個人情報を管理サーバに送信する個人情報送信手段と、
管理サーバが送信したWebページを受信して表示する表示手段と、
を備えており、
管理サーバが、
暗号化済みくじ情報を、くじの当選又ははずれを示す当否属性に対応づけて記憶するくじ情報記憶手段と、
暗号化済みくじ情報を、使用済みか否かを示す使用済属性に対応づけて記憶する使用済情報記憶手段と、
個人情報を記憶する個人情報記憶手段と、
携帯端末から受信した暗号化済みくじ情報を、くじ情報記憶手段が記憶している当否属性と照合する当否属性照合手段と、
携帯端末から受信した暗号化済みくじ情報を、使用済情報記憶手段が記憶している使用済属性と照合するとともに、受信したくじ情報の使用済属性が未使用の場合には、使用済属性を照合したのちにその使用属性を使用済みに変更する使用済属性照合手段と、
携帯端末から受信した個人情報を、個人情報記憶手段に登録する個人情報登録手段と、
受信した暗号化済みくじ情報の当否属性及び使用済属性に応じて、携帯端末に表示するWebページを決定するWeb決定手段と、
Web決定手段によって決定しているWebページを携帯端末に送信するWeb送信手段と、
個人情報記憶手段が記憶している個人情報を、管理サーバの利用者の要求に応じて出力する出力手段と、
を備えている。
また、請求項２に記載の管理サーバは、ネットワークに接続可能な携帯端末と、ネットワークに接続可能な管理サーバとを備えている販売促進システムにおける管理サーバであって、
商品に付された印刷物に埋め込まれている暗号化済みくじ情報を、くじの当選又ははずれを示す当否属性に対応づけて記憶するくじ情報記憶手段と、
商品に付された印刷物に埋め込まれている暗号化済みくじ情報を、使用済みか否かを示す使用済属性に対応づけて記憶する使用済情報記憶手段と、
個人情報を記憶する個人情報記憶手段と、
携帯端末から受信した暗号化済みくじ情報を、くじ情報記憶手段が記憶している当否属性と照合する当否属性照合手段と、
携帯端末から受信した暗号化済みくじ情報を、使用済情報記憶手段が記憶している使用済属性と照合するとともに、受信したくじ情報の使用済属性が未使用の場合には、使用済属性を照合したのちにその使用属性を使用済みに変更する使用済属性照合手段と、
携帯端末から受信した個人情報を、個人情報記憶手段に登録する個人情報登録手段と、
受信した暗号化済みくじ情報の当否属性及び使用済属性に応じて、携帯端末に表示するWebページを決定するWeb決定手段と、
Web決定手段によって決定しているWebページを携帯端末に送信するWeb送信手段と、
個人情報記憶手段が記憶している個人情報を、管理サーバの利用者の要求に応じて出力する出力手段と、
を備えている。
さらに、請求項３に記載の販売促進プログラムは、ネットワークを介して携帯端末との情報の送受信を可能にする販売促進プログラムであって、
コンピュータを、
商品に付された印刷物に埋め込まれている暗号化済みくじ情報を、くじの当選又ははずれを示す当否属性に対応づけて記憶するくじ情報記憶手段、
商品に付された印刷物に埋め込まれている暗号化済みくじ情報を、使用済みか否かを示す使用済属性に対応づけて記憶する使用済情報記憶手段、
個人情報を記憶する個人情報記憶手段、
携帯端末から受信した暗号化済みくじ情報を、くじ情報記憶手段が記憶している当否属性と照合する当否属性照合手段、
携帯端末から受信した暗号化済みくじ情報を、使用済情報記憶手段が記憶している使用済属性と照合するとともに、受信したくじ情報の使用済属性が未使用の場合には、使用済属性を照合したのちにその使用属性を使用済みに変更する使用済属性照合手段、
携帯端末から受信した個人情報を、個人情報記憶手段に登録する個人情報登録手段、
受信した暗号化済みくじ情報の当否属性及び使用済属性に応じて、携帯端末に表示するWebページを決定するWeb決定手段、
Web決定手段によって決定しているWebページを携帯端末に送信するWeb送信手段、
個人情報記憶手段が記憶している個人情報を、管理サーバの利用者の要求に応じて出力する出力手段、
を備えた管理サーバ、
として機能させるためプログラムである。
【発明の効果】
【０００９】
本発明の販売促進システムでは、ユーザーがシリアルナンバーを手入力する必要がない。そのため、従来からあるシステムに比べてユーザーアクセスの数を増やすことができ、販売促進キャンペーンの効果をより向上させることができる。
【００１０】
また、本発明の販売促進システムでは、管理サーバは乱数を利用するくじ引きを行わない。そのため、景品の予算が立てやすくなるとともに、コンピュータを管理サーバとして機能させるためのプログラムがより簡便ですみ、システムに掛かる負荷も減らすことができる。その結果、販売促進キャンペーンをより計画的に行うことができ、それに掛かる費用を減らすことができる。
【発明を実施するための最良の形態】
【００１１】
本発明の販売促進システム、管理サーバ、販売促進プログラムの構成、及びこれら利用した処理の流れについて、図面を参照しながら以下に説明する。
【００１２】
なお、図１は本発明の販売促進システムの一実施例の構成図であり、図２は前記実施例に係る携帯端末、管理サーバの内部構成を示す図であり、図４は管理サーバを構成する各種情報記憶手段の内容を示す図である。また、図５及び図６は、本発明の一実施における処理の流れを示すフローチャートである。さらに、図７から図１７は、販売促進システムを構成する携帯端末や管理サーバの画面構成例を示す図である。
【００１３】
１．構成
（１）全体構成
本発明の販売促進システムは、図１に示すように、携帯電話機やPDA(Personal Digital Assistant) 等の携帯端末と、販売促進サービスを管理する管理サーバとが、インターット等の通信ネットワークにより接続さている。なお、本実施の形態においては、携帯端末が携帯電話機１であり、通信ネットワークがインターネット３である例について説明するが、携帯端末及び通信ネットワークはこれらに限定されない。
【００１４】
（２）携帯電話機１
携帯電話機１は、いわゆるカメラ付携帯電話機であり、図２に示すように、各部の制御及び種々の演算等を行う中央演算装置（CPU）等から構成された制御部１１、携帯電話機１が各種処理を実行するためのプログラムやデータを記憶するROM及びRAMからなる記憶部１２、ユーザーからの文字入力を受け付けるキーボード等からなる入力部１３、印刷物を読み取るためのCCD又はCMOSカメラ等からなる撮像部１４、Webページ等を表示する液晶表示パネルからなる表示部１５等を備えている。
【００１５】
なお、携帯電話機１は、アンテナ等、携帯電話機として機能するために必要な各種機能を当然備えている。また、記憶部１２は、携帯電話機１を本発明の携帯端末としてとして機能させるため、以下に示す各種手段を備えたプログラムを記憶している。
【００１６】
１）読取手段
読取手段１２１は、アドレス情報と暗号化済みくじ情報とが埋め込まれ、かつ商品に付されている印刷物から、アドレス情報と暗号化済みくじ情報を読み取る手段であり、一般的にはカメラドライバ、OCRソフトウェア等として実装される。
【００１７】
アドレス情報とは、インターネット上にある管理サーバ２の位置を特定するためのURL（Uniform Resource Locator）やIPアドレスのことであり、暗号化済みくじ情報とは、例えば、複数の数字からなる含むシリアルナンバーである。
【００１８】
印刷物にアドレス情報と暗号化済みくじ情報を埋め込むとは、これらの情報を印刷物に記載することであり、具体的には、これらの情報を文字で直接記載すること、一次元又は二次元バーコードに変換して記載すること等が挙げられる。
【００１９】
これらの中でも、小さなスペースに記載できる情報量が多いことから、図３に示すように商品５の包装に印刷された二次元バーコード５１であることが好ましい。なお、二次元バーコードとは、0,1のデジタル情報を白黒のセルとして格子状に表現したものであり、QRコード、PDF417、Data Matrix 、MaxiCode等が開発・利用されている。
【００２０】
商品とは、飲食物、菓子などの一般消費者向けの商品などのことである。また、印刷物を付すとは、商品を収めているケースや缶に直接印刷すること、シール加工した印刷物を商品に貼り付けることである。
【００２１】
２）アクセス手段  
アクセス手段１２２は、読取手段１２１によって読み取ったアドレス情報に従って管理サーバ２に接続して、読取手段１２１によって読み取った暗号化済みくじ情報を管理サーバ２に送信する手段であり、通信用ハードウェアのドライバ、通信のプロトコルに関するプログラムをまとめたTCP/IPスタック、Webブラウザ等として実装される。
【００２２】
３）個人情報入力手段  
個人情報入力手段１２３は、ユーザーが携帯電話機１の入力部１３から入力した氏名、住所を含む個人情報を受け付ける手段であり、IMEやWebブラウザとして実装される。なお、個人情報としては、前記氏名、住所のほか、電話番号、電子メールアドレス、性別、年齢などが挙げられるが、これらに限定するわけではない。
【００２３】
４）個人情報送信手段
個人情報送信手段１２４は、個人情報入力手段１２３が受け付けた個人情報を管理サーバに送信する手段であり、Webブラウザ等として実装される。
【００２４】
５）表示手段
表示手段１２５は、管理サーバ２から送信されたWebページなどの情報を受信して表示部１５に表示する手段であり、液晶ドライバ、Webブラウザ等として実装される。
【００２５】
（２）管理サーバ２
管理サーバ２は、いわゆるサーバコンピュータであり、図２に示すように、各部の制御及び種々の演算等を行う中央演算装置（CPU）等から構成された制御部２１、携帯電話機１が各種処理を実行するためのプログラムやデータを記憶するROM、RAM、ハードディスク等からなる記憶部２２、ユーザーからの文字入力を受け付けるキーボード等からなる入力部２３、Webページ等を表示する液晶表示パネル等からなる表示部２４、各種データを印刷するプリンターからなる印刷部２５等を備えている。
【００２６】
なお、図には記載していないが、管理サーバ２は、モデムやルータなどの通信装置を介して、インターネット３に接続している。また、記憶部２２は、コンピュータを本発明の管理サーバ２として機能させるため、以下に示す各種手段を備えたプログラムを記憶している。
【００２７】
１）くじ情報記憶手段
くじ情報記憶手段２２１は、図４（ａ）に示すように、暗号化済みくじ情報（シリアルナンバー）と、そのシリアルナンバーとくじの「当選」又は「はずれ」を示す当否属性とを関連づけて記憶する手段であり、リレーショナル型データベースのテーブル等として実装される。
【００２８】
２）使用済情報記憶手段
使用済情報記憶手段２２２は、図４（ｂ）に示すように、暗号化済みくじ情報（シリアルナンバー）と、そのシリアルナンバーが「使用済」又は「未使用」であるかを示す使用済否属性とを関連づけて記憶する手段であり、リレーショナル型データベースのテーブル等として実装される。
【００２９】
３）個人情報記憶手段
個人情報記憶手段２２３は、図４（ｃ）に示すように、携帯電話機１から送信された氏名、住所、性別、年齢などの個人情報を記憶する手段であり、リレーショナル型データベースのテーブル等として実装される。
【００３０】
４）当否属性照合手段
当否属性照合手段２２４は、携帯電話機１から受信した暗号化済みくじ情報（シリアルナンバー）と、くじ情報記憶手段２２１が記憶している当否属性とを照合して、その結果をWeb決定手段に出力する手段であり、Webサーバプログラムやリレーショナル型データベースのクエリ等として実装される。
【００３１】
５）使用済属性照合手段
使用済属性照合手段２２５は、携帯電話機１から受信した暗号化済みくじ情報（シリアルナンバー）と使用済情報記憶手段２２２が記憶している使用済属性とを照合して、その結果をWeb決定手段に出力するとともに、受信したくじ情報の使用済属性が未使用の場合には、使用済属性を照合したのちにその使用属性を使用済みに変更する手段であり、Webサーバプログラムやリレーショナル型データベースのクエリ等として実装される。
【００３２】
６）個人情報登録手段
個人情報登録手段２２６は、携帯電話機１から受信した個人情報を、個人情報記憶手段２２３に登録する手段であり、Webサーバプログラムやリレーショナル型データベースのクエリ等として実装される。
【００３３】
７）Web決定手段
Web決定手段２２７は、当否属性照合手段２２４から出力された当否属性及び使用済属性照合手段２２５から出力された使用済属性に応じて、携帯電話機１に送信するWebページを決定する手段であり、WebサーバプログラムのCGI(Common Gateway Interface)スクリプト等として実装される。
【００３４】
Web決定手段２２７は、例えば、入力された使用済属性が未使用の場合には後述する「くじ引き画面」の表示を決定し、同じく入力された使用済属性が使用済の場合には同じく「当選済み画面」の表示を決定する。また、「くじ引き画面」には、当否属性の違いにより２種類あり、当否属性が当選である場合には「当選画面」、はずれの場合には「はずれ画面」へのリンク情報（URL）がそれぞれ記述された「くじ引き画面」の表示を決定する。なお、各画面の詳細については、「２・処理の流れ」で詳説する。
【００３５】
８）Web送信手段
Web送信手段２２８は、Web決定手段２２７によって決定されたWebページを携帯電話機１に送信する手段であり、Webサーバプログラム等として実装される。
【００３６】
９）出力手段
出力手段２２９は、個人情報記憶手段２２３が記憶している個人情報を、管理サーバ２のユーザーの要求に応じて、テキスト、表、グラフ等の形で表示部２４に表示したり、印刷部２５に印刷させる手段であり、個人情報記憶手段からデータを取り出すためのリレーショナルデータベースクエリ、取り出したデータを表、グラフ化するためのプログラム、表示部２４、印刷部２５を駆動するためのドライバ等として実装される。
【００３７】
２．処理の流れ
つぎに、ユーザーが商品を購入し、その商品のパッケージに印刷されている二次元バーコードを使用して、販売促進システムを使用する動作をフローチャートである図５、図６を参照しながら説明する。
【００３８】
（１）事前準備
販売促進システムの使用に先立って、キャンペーンの主催者は管理サーバ２を設置して、インターネット３に接続させる。つぎに、キャンペーンで利用するシリアルナンバー（暗号化済みくじ情報）とその当否情報とを管理サーバ２のくじ情報記憶手段２２１に記憶させる。その後、商品のパッケージに、シリアルナンバーと管理サーバ２のURLとを埋め込んだ二次元バーコードを印刷し、当該商品を販売する。
【００３９】
（２）商品の購入とキャンペーンへの参加
商品を購入したユーザーが、商品のパッケージに印刷されている二次元バーコードを携帯電話機１のカメラ（撮像部１４）で撮影する（Ｓ１０１）と、読取手段１２１が二次元バーコードに埋め込まれているアドレス情報（URL）及びシリアルナンバーを解読する（Ｓ１０２）。その後、解読したアドレス情報に従って、アクセス手段１２２が携帯電話機１と管理サーバ２とを接続し（Ｓ１０３）、携帯電話機１から管理サーバ２にシリアルナンバーを送信する（Ｓ１０４）。
【００４０】
(３）シリアルナンバーの照合
管理サーバ２が、携帯電話機１からシリアルナンバーを受け取る（Ｓ２０１）と、使用済属性照合手段２２５が、当該シリアルナンバーを使用済情報記憶手段２２２に記憶されている使用済属性と照合し、その結果をWeb決定手段２２７に出力する(Ｓ２０２)。また、当否属性照合手段２２４が当該シリアルナンバーをくじ情報記憶手段２２１に記憶されているくじの当否属性と照合して、その結果をWeb決定手段２２７に出力する(Ｓ２０３)する。
【００４１】
(４）Webページの決定と送信
得られた照合結果に基づいて、Web決定手段２２７が、送信するWebページを決定する（Ｓ２０４）。そして、決定したWebページをWeb送信手段２２８がWebページを携帯電話機１に送信する（Ｓ２０５）。具体的には、使用済属性が未使用である場合には図７に示す「くじ引き画面」を送信し、使用済属性が使用済である場合には図８に示す「当選済み画面」を送信する。
【００４２】
なお、「くじ引き画面」には、「抽選ボタン」7ａが表示されており、これをクリックすることによってリンクされた次画面に移動することができる。リンク先はシリアルナンバーの当否属性によって異なり、当否属性が「当たり」の場合は図９に示す「当選画面」へのリンクであり、当否属性が「はずれ」の場合には図１４に示す「はずれ画面」へのリンクである。また、「当選済み画面」には、図１５に示す「レシピ画面」へのリンクが張られた「当選済みボタン」８ａが表示される。
【００４３】
(５)Webページの表示、個人情報の登録及びレシピの表示
携帯電話機１が、管理サーバ２から送信されたWebページを受けとる（Ｓ１０５）と、当該Webページが表示部１５に表示される。なお、これ以降の処理の流れは表示されたWebページによって異なるため（Ｓ１０６）、以下に場合分けして説明する。
【００４４】
１）「くじ引き画面」が表示された場合（Ｓ１０７）
ユーザーが「くじ引き画面」上の「結果はここをクリック」ボタン７ａをクリックする(Ｓ１０８)と、管理サーバ２から図９に示す「当選画面」又は図１４に示す「はずれ画面」のいずれかが送信され、携帯電話機１の表示部１５に表示される（Ｓ１０９又はＳ１３１）。
【００４５】
（ａ）「当選画面」が表示された場合（Ｓ１０９）
「当選画面」には「個人情報保護方針」ボタン９ａ、「同意する」ボタン９ｂ等が表示されており、それぞれ図１０に示す「個人情報保護方針画面」、図１１に示す「賞品送付先入力画面」にリンクしている。
【００４６】
ユーザーが、「個人情報保護方針ボタン」９ａをクリックする（Ｓ１１０）と、管理サーバ２が図１０に示す「個人情報保護方針画面」を送信し(Ｓ２０７）、携帯電話機１の表示部１５に表示される（Ｓ１１１）。なお、「個人情報保護方針画面」には、「個人情報保護方針」１０ａと、「当選画面」にリンクしている「もどる」ボタン１０ｂが表示されている。
【００４７】
ユーザーが「個人情報保護方針」１０ａの内容を確認して、「もどる」ボタン１０ｂをクリックする(Ｓ１１２）と、管理サーバ２から「当選画面」が送信され（Ｓ２０８）、携帯電話機１の表示部１５に「当選画面」が表示される(Ｓ１１３)。
【００４８】
ユーザーが「個人情報保護方針」に同意して「同意する」ボタン９ｂをクリックする(Ｓ１１４)と、管理サーバ２から図１１に示す「賞品送付先入力画面」が送信され（Ｓ２０９）、携帯電話機１の表示部１５に「賞品送付先入力画面」が表示される（Ｓ１１５）。なお、「賞品送付先入力画面」には、住所、氏名、年齢等の個人情報を入力する個人情報入力欄１１ａと、図１２に示す「確認画面」へのリンクが張られた「確認」ボタン１１ｂが表示されている。
【００４９】
ユーザーが、入力部１３により個人情報入力欄１１ａに個人情報を入力して、「確認」ボタン１１ｂをクリックする（Ｓ１１６）と、個人情報送信手段１２４によって、携帯電話機１から管理サーバ２に個人情報が送信される（Ｓ１１７）。
【００５０】
個人情報が管理サーバ２によって受信されるとともに、管理サーバ２から図１２に示す「確認画面」が送信され（Ｓ２１０）、携帯電話機１の表示部１５に「確認画面」が表示される(Ｓ１１８)。なお、「確認画面」には、「賞品送付先入力画面」へのリンクが張られた「入力画面へ」ボタン１２ａと、個人情報送信手段１２４によって、個人情報を管理サーバ２に登録させる「登録」ボタン１２ｂが表示されている。
【００５１】
ユーザーが、「確認画面」の内容を確認のうえ、「登録」ボタン１２ｂをクリックする(Ｓ１１９)と、送信されている個人情報が、個人情報登録手段２２６によって個人情報記憶手段２２３に登録されるとともに、管理サーバ２から携帯電話機１に図１３に示す「登録完了画面」が送信される(Ｓ２１１)、携帯電話機１の表示部１５に「登録完了画面」が表示される（Ｓ１２０）。なお、「登録完了画面」には、図１５に示す「レシピ画面」へのリンクが張られた「レシピを表示」ボタン１３ａが表示されている。
【００５２】
なお、「確認画面」に記載の内容に誤りがある場合、又は入力漏れがある場合には、「確認画面」の「入力画面へ」ボタン１２ａをクリックして「賞品送付先入力画面」戻り、記載内容を修正したうえ、「確認」ボタン１２ｂをクリックして再度「確認画面」を表示させ、前記と同様に個人情報を管理サーバ２に登録する。
【００５３】
ユーザーが、「レシピを表示」ボタン１３ａをクリックすると、管理サーバ２から携帯電話機１に「レシピ画面」が送信され（Ｓ２２１）、携帯電話機１の表示部１５に表示される（Ｓ１４１）。なお、「レシピ画面」には、図１６に示す「メニュー画面」とリンクした「メニュー」１５ａが、リンクしているメニューの数にあわせて複数表示されている。
【００５４】
ユーザーが「メニュー」１５ａをクリックする（Ｓ１４２）と、管理サーバ２から携帯電話機１に「メニュー画面」が送信され（Ｓ２２２）、携帯電話機１の表示部１５に表示される（Ｓ１４３）。そして、この「メニュー画面」を利用すれば、ユーザーはキャンペーンの対象となった商品を利用する料理を容易に調理することができる。なお、「メニュー画面」には「レシピ画面」にリンクが張られた「もどる」ボタン１６ａが表示されている。これをユーザーが必要に応じてクリックすれば、「レシピ画面」を介して、他の「メニュー画面」を表示させることもできる。
【００５５】
（ｂ）「はずれ画面」が表示された場合(Ｓ１３１)
図１４に示す「はずれ画面」には、図１５に示す「レシピ画面」にリンクが張られた「レシピを表示」ボタン１４ａが表示されており、ユーザーがこれをクリックする(Ｓ１３２)ことによって、（ａ）と同じように「レシピ画面」が携帯電話機１の表示部１５に表示される。なお、以後の処理の流れは、（ａ）と同じである。
【００５６】
２）「当選済み画面」が表示された場合(Ｓ１３１)
図８に示す「当選済み画面」にも、図１５に示す「レシピ画面」にリンクが張られた「当選済みなのでレシピを表示」ボタン８ａが表示されており、ユーザーがこれをクリックする(Ｓ１３２)ことによって、（ａ）と同じように「レシピ画面」が携帯電話機１の表示部１５に表示される。なお、以後の処理の流れは、１）の（ａ）と同じである。
【００５７】
(６）個人情報の利用
販売促進システムの管理サーバ２に蓄積されたユーザの個人情報は、出力手段２２９によって表示部２４に表示させること、及び印刷部２５に印刷させることによって、マーケッティングなどに利用することができる。なお、個人情報を表示部２４に表形式で表示させた「ユーザー情報画面」の一例を図１７に示す。
【産業上の利用可能性】
【００５８】
本発明の販売促進システムによって、携帯端末からキャンペーンへの参加が容易になるため、キャンペーンへの参加者が増え、キャンペーンの効果がより大きくなる。また、本発明の販売促進システムは、従来のものと比べて構造が簡単であるため容易かつ安価に構築・運用することができる。
【図面の簡単な説明】
【００５９】
【図１】本発明の販売促進システムの構成図である。
【図２】本発明に係る携帯端末、管理サーバの構成を示す図である。
【図３】商品に付されている印刷物の一例を示す図である。
【図４】管理サーバに記憶されている（ａ）くじ情報記憶手段、（ｂ）使用済情報記憶手段、（ｃ）個人情報記憶手段の内容を示す図である。
【図５】本発明の販売促進システムの処理の流れを示すフローチャート１である。
【図６】同じくフローチャート２である。
【図７】「くじ引き画面」の一例を示す図である。
【図８】「当選済み画面」の一例を示す図である。
【図９】「当選画面」の一例を示す図である。
【図１０】「個人情報保護方針画面」の一例を示す図である。
【図１１】「賞品送付先入力画面」の一例を示す図である。
【図１２】「確認画面」の一例を示す図である。
【図１３】「登録完了」の一例を示す図である。
【図１４】「はずれ画面」の一例を示す図である。
【図１５】「レシピ画面」の一例を示す図である。
【図１６】「メニュー画面」の一例を示す図である。
【図１７】「ユーザー情報画面」の一例を示す図である。
【符号の説明】
【００６０】
１    携帯電話機
２    管理サーバ
３    インターネット
【図１】
2010108059.tif 000003
【図２】
2010108059.tif 000004
【図３】
2010108059.tif 000005
【図４】
2010108059.tif 000006
【図５】
2010108059.tif 000007
【図６】
2010108059.tif 000008
【図７】
2010108059.tif 000009
【図８】
2010108059.tif 000010
【図９】
2010108059.tif 000011
【図１０】
2010108059.tif 000012
【図１１】
2010108059.tif 000013
【図１２】
2010108059.tif 000014
【図１３】
2010108059.tif 000015
【図１４】
2010108059.tif 000016
【図１５】
2010108059.tif 000017
【図１６】
2010108059.tif 000018
【図１７】
2010108059.tif 000019